【手続補正書】
【提出日】令和2年8月3日(2020.8.3)
【手続補正１】
【補正対象書類名】特許請求の範囲
【補正対象項目名】全文
【補正方法】変更
【補正の内容】
【特許請求の範囲】
【請求項１】
楽器用のチューニング装置であって、
前記楽器が、
ボディと、
前記楽器のボディから延びているネックと、
を有し、
前記ネックが、ヘッドを備えた自由端部を有し、
前記ヘッドが、
楽器前面と、
前記楽器前面と反対側の楽器背面と、
前記楽器背面に配置されている少なくとも１つのチューニングキーと、
を備えており、
前記チューニング装置が、
チューニングディスプレイを備えており、
前記少なくとも１つのチューニングキーの１つまたは複数に係合可能であり、
長方形に結合された直角三角形を備えた形状を有し、
前記三角形の底辺が前記長方形の長辺と連続しており、
前記底辺に垂直である前記三角形の辺が、前記長方形の短辺に結合されており、かつ、前記長方形の前記短辺より長いかまたは等しく、
前記チューニングディスプレイが、前記三角形の斜辺に配置されており、
前記チューニング装置が前記１つまたは複数のチューニングキーに係合しており、かつ全体が前記楽器背面の上に配置されているときに、前記ディスプレイが、前記楽器のボディの方を向くように、前記チューニング装置に配置されている、
チューニング装置。
【請求項２】
前記チューニング装置が、前記１つまたは複数のチューニングキーから取り外し可能である、請求項１に記載のチューニング装置。
【請求項３】
前記チューニング装置が、前記１つまたは複数のチューニングキーに磁気的に係合可能である、請求項１または請求項２に記載のチューニング装置。
【請求項４】
楽器用のチューニング装置であって、
前記楽器が、
ボディと、
前記楽器のボディから延びているネックと、
を有し、
前記ネックが、ヘッドを備えた自由端部を有し、
前記ヘッドが、
楽器前面と、
前記楽器前面と反対側の楽器背面と、
を備えており、
前記チューニング装置が、
チューニングディスプレイを備えており、
前記楽器背面に係合可能であり、かつ、
長方形に結合された直角三角形を備えた形状を有し、
前記三角形の底辺が前記長方形の第１の長辺と連続しており、
前記底辺に垂直である前記三角形の辺が、前記長方形の短辺に結合されており、かつ、前記長方形の前記短辺より長いかまたは等しく、
前記チューニングディスプレイが、前記三角形の斜辺に配置されており、
前記チューニング装置が前記楽器背面に係合しており、かつ全体が前記楽器背面の上に配置されており、かつ前記楽器前面に係合していない間、前記チューニングディスプレイが、前記楽器のボディの方を向くように、前記楽器背面に配置される、
チューニング装置。
【請求項５】
前記チューニング装置が、前記背面から取り外し可能である、請求項４に記載のチューニング装置。
【請求項６】
前記チューニング装置が、吸引力によって前記背面に係合可能である、請求項４または請求項５に記載のチューニング装置。
【請求項７】
前記楽器が、アコースティックギター、エレクトリックギター、およびベースギター、を含む群、から選択される、請求項１、請求項２、請求項４、または請求項５のいずれか１項に記載のチューニング装置。
【請求項８】
係合しておりかつ全体が前記背面の上に配置されているとき、前記チューニング装置が、前記楽器背面から垂直に突き出している長さと少なくとも同じだけ前記楽器背面に平行に延びている、請求項１、請求項２、請求項４、または請求項５のいずれか１項に記載のチューニング装置。
【請求項９】
前記チューニング装置が、前記楽器背面から垂直に１５ｍｍ未満突き出しており、前記楽器背面に平行な、少なくとも１５ｍｍの長さの縁部を有する、請求項８に記載のチューニング装置。
【請求項１０】
前記楽器から前記チューニング装置が離脱することなく前記楽器を手で動かすことができるように構成されている、請求項１、請求項２、請求項４、または請求項５のいずれか１項に記載のチューニング装置。
【請求項１１】
前記楽器背面が第１の色を有し、前記チューニング装置が第２の色を有し、前記第１の色と前記第２の色が類似している、請求項１、請求項２、請求項４、または請求項５のいずれか１項に記載のチューニング装置。
【請求項１２】
前記第２の色が、視覚的に前記第１の色と区別され得ない、請求項１１に記載のチューニング装置。
【請求項１３】
前記底辺に垂直でありかつ前記長方形の短辺に結合されている、前記三角形の前記辺が、切り詰められており、前記長方形の第２の長辺と同じ高さであるスペースを形成している、請求項１または請求項４のいずれか１項に記載のチューニング装置。
【請求項１４】
前記楽器が、前記楽器背面に配置されている少なくとも２つのチューニングキーを備えており、前記チューニング装置が、前記少なくとも２つのチューニングキーのうちの２つ以上に係合可能である、請求項１または請求項４のいずれか１項に記載のチューニング装置。
【請求項１５】
請求項１または請求項４のいずれか１項に記載のチューニング装置および楽器を備えたキットであって、ケースをさらに備えており、前記キットが、前記チューニング装置が前記キーに係合している間、前記楽器から前記チューニング装置を取り外さなくても邪魔にならずに前記楽器を前記ケースの中に配置して確実に収納することを可能にするように構成されている、キット。
【請求項１６】
請求項１、請求項２、または請求項３に記載のチューニング装置および楽器を備えたキットであって、前記チューニング装置が前記チューニングキーに係合し、前記楽器前面に係合しない、キット。
【手続補正２】
【補正対象書類名】明細書
【補正対象項目名】００５４
【補正方法】変更
【補正の内容】
【００５４】
図５ａ〜図５ｄは、アダプタ１２０によってヘッドに結合することのできる、別の装置実施形態１１０ｂを示している。図５ａは、アダプタ１２０の上面図を描いており、図５ｂはアダプタ１２０を斜視図で示している。図５ｃはチューニング装置１１０ｂのみを示しており、図５ｄは、組み立てられたチューニング装置１１０ｂおよびアダプタ１２０を示している。チューニング装置１１０ｂは、一般には、長方形１１３ｂに結合された直角三角形１１１ｂとして形成されている。三角形１１１ｂの底辺は長方形１１３ｂの長辺と連続している。底辺に垂直である三角形１１１ｂの辺１１９ｂは、長方形１１３ｂの短辺に結合されており、長方形１１３ｂの短辺より長いかまたは等しい。チューニングディスプレイは、一般には三角形１１１ｂの斜辺１１６ｂに配置されている。チューニング装置１１０ｂは、１つまたは複数のチューニングキーに磁石［図示していない］によって磁気的に係合することが好ましい。
【手続補正３】
【補正対象書類名】明細書
【補正対象項目名】００５９
【補正方法】変更
【補正の内容】
【００５９】
チューニング装置１１０ｃは、斜面１１６ｃを備えた台形プリズム形状を有し、チューニングディスプレイ１１８ｃは斜面１１６ｃ上である。チューニング装置１１０ｃは、ディスプレイ１１８ｃがボディ１５の方、および楽器１０を持つ演奏者の方に本質的にまっすぐに向くように、第１の装置側面１１２ｃを介してチューニングキー１６と係合する。オプションとして、チューニング装置１１０ｃは、長方形１１３ｃに結合されている直角三角形１１１ｃとして形成されている。三角形１１１ｃの底辺は、長方形１１３ｃの長辺と連続している。底辺に垂直な三角形１１１ｃの辺が、長方形１１３ｃの短辺に結合されており、長方形１１３ｃの短辺より長いかまたは等しい。チューニングディスプレイは、一般には三角形１１１ｃの斜辺１１６ｃに配置されている。チューニング装置１１０ｃは、１つまたは複数のチューニングキーに磁石１１７ｃによって磁気的に係合することが好ましい。